(57)【要約】【課題】  現在の走行制御モードを容易に確認できるとともにオートクルーズ制御とオートリタード制御における目標速度をそれぞれ容易に設定し確認可能なダンプトラックの速度表示装置を提供する。【解決手段】  車体速度を速度スケール上で表示する速度メータ(20)は、現在の走行制御モードを表示する走行制御モード表示手段(C3)を有するとともに、走行制御モードに応じてオートクルーズ制御における目標速度及びオートリタード制御における目標速度のいずれか一方を速度スケール上に表示する目標速度表示手段(C2, C21, C22)を有する。【選択図】      図６
2006256445.tif 000002
【特許請求の範囲】
【請求項１】
走行制御モードを通常走行モードとアクセルを自動制御するオートクルーズ制御モードとリタードブレーキを自動制御するオートリタード制御モードとに切り換えて車体速度を制御可能な制御手段を有したダンプトラックの速度表示装置であって、
前記車体速度を速度スケール上で表示する速度メータを備え、
該速度メータは、現在の走行制御モードを表示する走行制御モード表示手段を含んでなることを特徴するダンプトラックの速度表示装置。
【請求項２】
前記制御手段には、前記オートクルーズ制御における目標速度及び前記オートリタード制御における目標速度を設定する目標速度設定手段が接続され、
前記速度メータは、さらに、走行制御モードに応じて前記オートクルーズ制御における目標速度及び前記オートリタード制御における目標速度のいずれか一方を前記速度スケール上に表示する目標速度表示手段を含んでなることを特徴する、請求項１記載のダンプトラックの速度表示装置。
【請求項３】
前記目標速度表示手段は、前記速度スケール上に目盛り方向に延びる発色表示部を含み、前記オートクルーズ制御における目標速度及び前記オートリタード制御における目標速度を境界として該発色表示部を色分け表示することを特徴する、請求項２記載のダンプトラックの速度表示装置。
【請求項４】
前記目標速度設定手段は、前記オートクルーズ制御における目標速度及び前記オートリタード制御における目標速度を前記速度スケール上に表示される目標速度の位置を移動させることで設定することを特徴する、請求項２または３記載のダンプトラックの速度表示装置。
【発明の詳細な説明】
【技術分野】
【０００１】
本発明は、ダンプトラックの速度表示装置に係り、詳しくは、ダンプトラックのオートクルーズ制御とオートリタード制御における目標速度の設定と確認を行う技術に関する。
【背景技術】
【０００２】
近年、通常走行の他、アクセルを自動制御するオートクルーズ制御やリタードブレーキを自動制御するオートリタード制御に走行制御モードを切り換えて走行可能なダンプトラックが開発され実用化されている。
このようなダンプトラックでは、鉱山や採石現場において、ダンプトラックのオペレータが作業場のレイアウト等に応じて通常走行からオートクルーズ制御やオートリタード制御に適宜切り換えるようにしている。
【０００３】
そして、オートクルーズ制御における目標速度やオートリタード制御における目標速度は、走行する路面の状況等により違ってくるため、当該ダンプトラックでは、オペレータが目標速度を路面の状況等に応じて適宜設定するようにしている。
ところで、このように目標速度を設定する際には、現在の走行制御モードや現在の目標速度に関する情報を簡単に知ることができることが望ましい。
【０００４】
そこで、例えば制限速度を数値入力により設定し表示するようなダンプトラックの車速制限装置や（特許文献１参照）、実際の車体速度とともに目標速度をも表示可能にした速度表示装置（特許文献２参照）が開示されている。
【特許文献１】特許第３２１２２３４号公報
【特許文献２】特許第３３８１０２６号公報
【発明の開示】
【発明が解決しようとする課題】
【０００５】
しかしながら、上記特許文献１に開示される技術では、数値入力された制限速度を速度メータとは別の表示装置に表示するようにしており、ダンプトラックのオペレータが速度メータと車速制限の設定速度とを別々に確認しなければならないという問題がある。
また、特許文献２に開示される技術では、実際の車体速度と目標速度とを一つの表示装置に切り換えて表示しているため、実際の車体速度と目標速度とを同時に確認することができないという問題がある。
【０００６】
さらに、これら特許文献１、２に開示される技術の場合、走行制御の目標となる速度は一つであるため、オートクルーズ制御とオートリタード制御とで別々の目標速度設定が必要な場合には、現在の走行制御モードや現在の目標速度の確認等を含め、十分に対応できないという問題もある。
本発明はこのような問題点を解決するためになされたもので、その目的とするところは、現在の走行制御モードを容易に確認できるとともにオートクルーズ制御とオートリタード制御における目標速度をそれぞれ容易に設定し確認可能なダンプトラックの速度表示装置を提供することにある。
【課題を解決するための手段】
【０００７】
上記目的を達成するために、請求項１のダンプトラックの速度表示装置では、走行制御モードを通常走行モードとアクセルを自動制御するオートクルーズ制御モードとリタードブレーキを自動制御するオートリタード制御モードとに切り換えて車体速度を制御可能な制御手段を有したダンプトラックの速度表示装置であって、前記車体速度を速度スケール上で表示する速度メータを備え、該速度メータは、現在の走行制御モードを表示する走行制御モード表示手段を含んでなることを特徴する。
【０００８】
即ち、ダンプトラックが現在通常走行モード、オートクルーズ制御モード、オートリタード制御モードのいずれの走行制御モードであるかが速度メータ上に併せて表示される。
また、請求項２のダンプトラックの速度表示装置では、請求項１において、前記制御手段には、前記オートクルーズ制御における目標速度及び前記オートリタード制御における目標速度を設定する目標速度設定手段が接続され、前記速度メータは、さらに、走行制御モードに応じて前記オートクルーズ制御における目標速度及び前記オートリタード制御における目標速度のいずれか一方を前記速度スケール上に表示する目標速度表示手段を含んでなることを特徴する。
【０００９】
即ち、オートクルーズ制御における目標速度やオートリタード制御における目標速度が走行制御モードに応じて速度メータ上に併せて表示される。
また、請求項３のダンプトラックの速度表示装置では、請求項２において、前記目標速度表示手段は、前記速度スケール上に目盛り方向に延びる発色表示部を含み、前記オートクルーズ制御における目標速度及び前記オートリタード制御における目標速度を境界として該発色表示部を色分け表示することを特徴する。
【００１０】
即ち、速度スケール上の発色表示部がオートクルーズ制御における目標速度やオートリタード制御における目標速度を境に色分け表示される。
また、請求項４のダンプトラックの速度表示装置では、請求項２または３において、前記目標速度設定手段は、前記オートクルーズ制御における目標速度及び前記オートリタード制御における目標速度を前記速度スケール上に表示される目標速度の位置を移動させることで設定することを特徴する。
【００１１】
即ち、ダンプトラックが走行中であっても停車中であっても、オートクルーズ制御における目標速度やオートリタード制御における目標速度が速度スケール上に表示される目標速度の位置を移動させることで容易に設定される。
【発明の効果】
【００１２】
請求項１のダンプトラックの速度表示装置によれば、ダンプトラックが現在通常走行モード、オートクルーズ制御モード、オートリタード制御モードのいずれの走行制御モードであるかを速度メータを視るだけで容易に確認することができる。
請求項２のダンプトラックの速度表示装置によれば、オートクルーズ制御における目標速度やオートリタード制御における目標速度を速度メータを視るだけで容易に確認することができる。
【００１３】
請求項３のダンプトラックの速度表示装置によれば、オートクルーズ制御における目標速度やオートリタード制御における目標速度を発色表示部の色分け表示によって極めて容易に確認することができる。
請求項４のダンプトラックの速度表示装置によれば、オートクルーズ制御における目標速度やオートリタード制御における目標速度を速度スケール上に表示される目標速度の位置を移動させて設定するので、ダンプトラックが走行中であっても停車中であっても、目標速度を目視により確認しながら簡単な操作で容易に設定することができる。
【発明を実施するための最良の形態】
【００１４】
以下、本発明に係るダンプトラックの速度表示装置の実施形態を図面に基づき説明する。
ダンプトラックは、例えば採石場等で使用される大型のダンプトラックであり、エンジン或いはモータにより駆動され、通常走行の他、アクセルを自動制御するオートクルーズ制御走行とリタードブレーキを自動制御するオートリタード制御走行とが可能に構成されている。
【００１５】
図１は、このようにオートクルーズ制御とオートリタード制御とが可能に構成された本発明に係るダンプトラックの速度表示装置を示すブロック図である。
同図に示すように、速度表示装置は、電子コントロールユニット（以下、ＥＣＵ）１０の入力インターフェース１１に各種センサ類及びスイッチ類が接続される一方、出力インターフェース１３に速度メータ２０等が接続されて構成されている。
【００１６】
ＥＣＵ１０は、上記入力インターフェース１１や出力インターフェース１３の他、データの演算処理を行うＣＰＵ１２、データを記憶するＲＯＭ１４及びＲＡＭ１５を備えて構成されている。
詳しくは、入力インターフェース１１には、車体速度（以下、車速ともいう）を検出する車速センサ２、エンジン或いはモータの動力を車輪に伝達する動力伝達装置を前進、後退及びニュートラルに切り換えるシフトレバー３のシフト位置センサ部が接続され、さらに、走行制御モードを通常走行モード、オートクルーズ制御モード（以下、オートクルーズモードともいう）、オートリタード制御モード（以下、オートリタードモードともいう）のいずれかのモードに切り換えるモードスイッチＳＷ１、オートクルーズ制御及びオートリタード制御において目標速度を設定する設定スイッチＳＷ２、オートクルーズ制御及びオートリタード制御において前回と同じ目標速度を再設定する再設定スイッチＳＷ３、目標速度を加算するためのアップスイッチＳＷ４、目標速度を減算するためのダウンスイッチＳＷ５等（目標速度設定手段）が接続されている。
【００１７】
一方、出力インターフェース１３には、速度メータ２０の他、オートクルーズ制御の制御対象であるアクセル３０及びオートリタード制御の制御対象であるリタードブレーキ４０が接続されている。なお、アクセル３０やリタードブレーキ４０の構成については種々公知のものが適用され、ここでは説明を省略する。
速度メータ２０は、運転室内の例えばインストルメントパネル（図示せず）にオペレータが視認し易いように設けられている。ここでは、表示装置として例えばカラー液晶ディスプレイがインストルメントパネルに設置されており、速度メータ２０は当該カラー液晶ディスプレイ上に画像表示されている。
【００１８】
図２は速度メータ２０の表示内容の一例を示す図である。同図に示すように、速度メータ２０は、現在の車体速度を示す指針Ｃ１、車体速度を示す速度スケールを有するとともに予め設定された複数の色（例えば、緑色及び黄色）を一定の速度範囲毎（例えば、１km/h毎）に色分けして発色可能な目盛り領域（目標速度表示手段、発色表示部）Ｃ２、走行制御モードを示すための制御モード表示領域（走行制御モード表示手段）Ｃ３、オートクルーズ制御及びオートリタード制御の目標速度を設定するために適宜表示されるカーソルＣ４、当該カーソルＣ４を表示するカーソル表示領域Ｃ５から構成されている。
【００１９】
ＲＯＭ１４には、ＣＰＵ１２において走行制御処理を行うためのプログラムや速度メータ２０の速度表示処理を行うためのプログラムとが保存されている。
ＲＡＭ１５は、上記入力インターフェース１１からの情報に基づきＣＰＵ１２で演算処理された上記目標速度や前回の目標速度等の種々のデータを一時的に記憶する機能を有している。
【００２０】
以下、このように構成された本発明に係るダンプトラックの速度表示装置の作用について説明する。
図３〜図５にはＲＯＭ１４に記憶された速度メータ２０の速度表示処理ルーチンがフローチャートで示されており、図６乃至図９には速度表示処理ルーチンの実行結果に応じた速度メータ２０の表示内容が示されており、以下、図６乃至図９を参照しながら図３〜図５のフローチャートに沿い説明する。
【００２１】
図３のステップＳ１０では、車速センサ２からの車体速度情報に基づき現在の車体速度を更新する。そして、ステップＳ１２において、指針Ｃ１を目盛り領域Ｃ２上で動かし、指針Ｃ１が当該車体速度に応じた目盛りを指し示すようにする。
ステップＳ１４では、モードスイッチＳＷ１の状態を判別する。即ち走行制御モードが通常走行モード、オートクルーズモード、オートリタードモードのいずれのモードであるかを判別する。判別により通常走行モードと判定された場合には、走行中では図６（ａ）に示すように、停車中では図７（ａ）に示すように、オートクルーズ制御とオートリタード制御を実行していないことを示すべく領域Ｃ３に例えば「ＯＦＦ」を表示するとともに、目盛り領域Ｃ２の全域（０km/hから最大値まで）を同一色（例えば、緑色）とし、ステップＳ１０に戻る。
［オートクルーズメータ処理：走行中］
ステップＳ１４の判別により走行制御モードがオートクルーズモードと判定された場合には、ステップＳ１６に進み、図４のオートクルーズメータ処理のルーチンを実行する。
【００２２】
オートクルーズメータ処理が開始されると、先ず、ステップＳ２０では、図６（ｂ）に示すように、領域Ｃ３にオートクルーズ制御を実行していることを示すべく例えば「Ａｕｔｏ  Ｃｒｕｉｓｅ」を表示する（走行制御モード表示手段）。そして、前回設定されたオートクルーズ速度（目標速度、例えば２０km/h）をＲＡＭ１５から読出し、当該オートクルーズ速度を目盛り境界速度として目盛り領域Ｃ２を当該目盛り境界速度を境に色分け表示する。具体的には、例えば０km/hから目盛り境界速度（例えば、２０km/h）までの目盛り領域Ｃ２１を黄色とし、当該目盛り境界速度から最大値までの目盛り領域Ｃ２２を緑色で表示する。さらに、オートクルーズモードをオートクルーズ速度を設定する速度設定モードに設定する。
【００２３】
ステップＳ２２では、上記更新された現在の車体速度が０km/hであって且つシフトレバー３がニュートラル位置であるか否か、即ちダンプトラックが停車中であるか否かを判別する。判別結果が偽（Ｎｏ）で、ダンプトラックが走行中と判定された場合には、ステップＳ２４に進む。
オートクルーズモードが速度設定モードであって、ダンプトラックが走行中である場合には、ステップＳ２４において、現在の車体速度（例えば、１５km/h）をカーソル速度とし、図６（ｂ）に示すように、カーソルＣ４を指針Ｃ１に合わせるようにして領域Ｃ５に表示する。
【００２４】
ステップＳ２６では、現在の車体速度を改めて更新するとともに、モードスイッチＳＷ１、設定スイッチＳＷ２、再設定スイッチＳＷ３、アップスイッチＳＷ４、ダウンスイッチＳＷ５の操作内容を更新する。
ステップＳ２８では、上記更新内容に基づき、オートクルーズモードが速度設定モードにあるか否かを判別する。オートクルーズメータ処理が開始された直後には、上述したようにオートクルーズモードは速度設定モードにあるため、判別結果は真（Ｙｅｓ）となり、ステップＳ２９において速度メータ２０をオートクルーズ速度設定メータ表示とし、ステップＳ３０以降に進む（目標速度設定手段）。
【００２５】
ステップＳ３０では、アップスイッチＳＷ４またはダウンスイッチＳＷ５が操作されたか否かを判別する。判別により、アップスイッチＳＷ４及びダウンスイッチＳＷ５のいずれも操作されていないと判定された場合には、そのままステップＳ３６に進む。
一方、ステップＳ３０の判別により、アップスイッチＳＷ４が操作（ＯＮ）されたと判定された場合には、ステップＳ３２に進み、カーソル速度を操作毎に所定量だけ加算し（例えば、＋１km/h）、図６（ｃ）に矢印で示すように、カーソルＣ４の表示位置を移動させる。
【００２６】
また一方、ステップＳ３０の判別により、ダウンスイッチＳＷ５が操作（ＯＮ）されたと判定された場合には、ステップＳ３４に進み、カーソル速度を操作毎に所定量だけ減算し（例えば、−１km/h）、やはり図６（ｃ）に矢印で示すように、カーソルＣ４の表示位置を移動させる。
ステップＳ３６では、設定スイッチＳＷ２或いは再設定スイッチＳＷ３が操作されたか否かを判別する。判別により設定スイッチＳＷ２及び再設定スイッチＳＷ３のいずれも操作されていないと判定された場合には、ステップＳ２６に戻り、当該ルーチンを繰り返し実行する。
【００２７】
一方、ステップＳ３６の判別により、設定スイッチＳＷ２が操作されたと判定された場合には、ステップＳ３８に進み、目盛り境界速度をカーソル速度に設定する。即ち、アップスイッチＳＷ４及びダウンスイッチＳＷ５のいずれも操作されていない場合には、目盛り境界速度を現在の車体速度（例えば、１５km/h）に設定し、アップスイッチＳＷ４及びダウンスイッチＳＷ５の少なくともいずれか一方が操作された場合には、目盛り境界速度を加算或いは減算されたカーソル速度に設定する。そして、ステップＳ４０において、目盛り境界速度をオートクルーズ速度としてＲＡＭ１５に記憶し、図６（ｄ）に示すように、カーソルＣ４を消すとともに、例えば０km/hから目盛り境界速度（例えば、１５km/h）までの目盛り領域Ｃ２１を黄色とし、当該目盛り境界速度から最大値までの目盛り領域Ｃ２２を緑色で表示し、オートクルーズモードを制御表示モードとする。
【００２８】
また一方、ステップＳ３６の判別により、再設定スイッチＳＷ３が操作されたと判定された場合には、そのままステップＳ４０に進み、目盛り境界速度をカーソル速度とせず、前回設定されたオートクルーズ速度（例えば、２０km/h）を再びオートクルーズ速度としてＲＡＭ１５に記憶し、オートクルーズモードを制御表示モードとする。即ち、再設定スイッチＳＷ３が操作された場合には、図６（ｅ）に示すように、カーソルＣ４を消すとともに、例えば０km/hから目盛り境界速度（例えば、２０km/h）までの目盛り領域Ｃ２１を黄色のままに保持し、当該目盛り境界速度から最大値までの目盛り領域Ｃ２２を緑色のままに保持する。
【００２９】
オートクルーズモードが制御表示モードとされると、ステップＳ２８の判別結果は偽（Ｎｏ）となり、この場合には、ステップＳ４１において速度メータ２０をオートクルーズ制御メータ表示とし（目標速度表示手段）、当該ルーチンを終了する。
［オートクルーズメータ処理：停車中］
上記ステップＳ２２の判別結果が真（Ｙｅｓ）で、ダンプトラックが停車中と判定された場合には、ステップＳ２５に進む。
【００３０】
オートクルーズモードが速度設定モードであって、ダンプトラックが停車中である場合には、指針Ｃ１は動かないため、ステップＳ２５において、図７（ｂ）に示すように、目盛り境界速度、即ち前回設定されたオートクルーズ速度（例えば、１５km/h）をカーソル速度とし、カーソルＣ４を当該目盛り境界速度に合わせるようにして領域Ｃ５に表示する。
【００３１】
そして、ダンプトラックが停車中である場合においても、ステップＳ２６〜ステップＳ２９を経た後、ステップＳ３０において、アップスイッチＳＷ４またはダウンスイッチＳＷ５が操作されたか否かを判別する。判別により、アップスイッチＳＷ４及びダウンスイッチＳＷ５のいずれも操作されていないと判定された場合には、そのままステップＳ３６に進む。
【００３２】
一方、ステップＳ３０の判別により、アップスイッチＳＷ４が操作（ＯＮ）された或いはダウンスイッチＳＷ５が操作（ＯＮ）されたと判定された場合には、ステップＳ３２或いはステップＳ３４に進み、上記同様にカーソル速度を操作毎に所定量だけ加算或いは減算し（例えば、＋１km/hまたは−１km/h）、図７（ｃ）に矢印で示すように、カーソルＣ４の表示位置を移動させる。
【００３３】
そして、ステップＳ３６の判別により、設定スイッチＳＷ２が操作されたと判定された場合には、ステップＳ３８に進み、上記同様に目盛り境界速度をカーソル速度に設定する。さらに、ステップＳ４０において、目盛り境界速度をオートクルーズ速度としてＲＡＭ１５に記憶し、図７（ｄ）に示すように、カーソルＣ４を消すとともに、例えば０km/hから目盛り境界速度までの目盛り領域Ｃ２１を黄色とし、当該目盛り境界速度から最大値までの目盛り領域Ｃ２２を緑色で表示し、オートクルーズモードを制御表示モードとする。
【００３４】
また一方、ステップＳ３６の判別により、再設定スイッチＳＷ３が操作されたと判定された場合には、上記同様にそのままステップＳ４０に進み、前回設定されたオートクルーズ速度（例えば、１５km/h）を再びオートクルーズ速度としてＲＡＭ１５に記憶し、オートクルーズモードを制御表示モードとする（図示せず）。
［オートリタードメータ処理：走行中］
ステップＳ１４の判別により走行制御モードがオートリタードモードと判定された場合には、ステップＳ１８に進み、図５のオートリタードメータ処理のルーチンを実行する。
【００３５】
オートリタードメータ処理が開始されると、先ず、ステップＳ５０では、図８（ａ）に示すように、領域Ｃ３にオートリタード制御を実行していることを示すべく例えば「Ａｕｔｏ  Ｒｅｔａｒｄ」を表示する（走行制御モード表示手段）。そして、前回設定されたオートリタード速度（目標速度、例えば２０km/h）をＲＡＭ１５から読出し、当該オートリタード速度を目盛り境界速度として目盛り領域Ｃ２を当該目盛り境界速度を境に色分け表示する。具体的には、上記オートクルーズ制御とは逆に、例えば０km/hから目盛り境界速度（例えば、２０km/h）までの目盛り領域Ｃ２１を緑色とし、当該目盛り境界速度から最大値までの目盛り領域Ｃ２２を黄色で表示する。さらに、オートリタードモードをオートリタード速度を設定する速度設定モードに設定する。
【００３６】
ステップＳ５２では、上記更新された現在の車体速度が０km/hであって且つシフトレバー３がニュートラル位置であるか否か、即ちダンプトラックが停車中であるか否かを判別する。判別結果が偽（Ｎｏ）で、ダンプトラックが走行中と判定された場合には、ステップＳ５４に進む。
オートリタードモードが速度設定モードであって、ダンプトラックが走行中である場合には、ステップＳ５４において、現在の車体速度（例えば、１５km/h）をカーソル速度とし、図８（ａ）に示すように、カーソルＣ４を指針Ｃ１に合わせるようにして領域Ｃ５に表示する。
【００３７】
ステップＳ５６では、現在の車体速度を改めて更新するとともに、モードスイッチＳＷ１、設定スイッチＳＷ２、再設定スイッチＳＷ３、アップスイッチＳＷ４、ダウンスイッチＳＷ５の操作内容を更新する。
ステップＳ５８では、上記更新内容に基づき、オートリタードモードが速度設定モードにあるか否かを判別する。オートリタードメータ処理が開始された直後には、上述したようにオートリタードモードは速度設定モードにあるため、判別結果は真（Ｙｅｓ）となり、ステップＳ５９において速度メータ２０をオートリタード速度設定メータ表示とし、ステップＳ６０以降に進む（目標速度設定手段）。
【００３８】
ステップＳ６０では、アップスイッチＳＷ４またはダウンスイッチＳＷ５が操作されたか否かを判別する。判別により、アップスイッチＳＷ４及びダウンスイッチＳＷ５のいずれも操作されていないと判定された場合には、そのままステップＳ６６に進む。
一方、ステップＳ６０の判別により、アップスイッチＳＷ４が操作（ＯＮ）されたと判定された場合には、ステップＳ６２に進み、カーソル速度を操作毎に所定量だけ加算し（例えば、＋１km/h）、図８（ｂ）に矢印で示すように、カーソルＣ４の表示位置を移動させる。
【００３９】
また一方、ステップＳ６０の判別により、ダウンスイッチＳＷ５が操作（ＯＮ）されたと判定された場合には、ステップＳ６４に進み、カーソル速度を操作毎に所定量だけ減算し（例えば、−１km/h）、やはり図８（ｂ）に矢印で示すように、カーソルＣ４の表示位置を移動させる。
ステップＳ６６では、設定スイッチＳＷ２或いは再設定スイッチＳＷ３が操作されたか否かを判別する。判別により設定スイッチＳＷ２及び再設定スイッチＳＷ３のいずれも操作されていないと判定された場合には、ステップＳ５６に戻り、当該ルーチンを繰り返し実行する。
【００４０】
一方、ステップＳ６６の判別により、設定スイッチＳＷ２が操作されたと判定された場合には、ステップＳ６８に進み、目盛り境界速度をカーソル速度に設定する。即ち、アップスイッチＳＷ４及びダウンスイッチＳＷ５のいずれも操作されていない場合には、目盛り境界速度を現在の車体速度（例えば、１５km/h）に設定し、アップスイッチＳＷ４及びダウンスイッチＳＷ５の少なくともいずれか一方が操作された場合には、目盛り境界速度を加算或いは減算されたカーソル速度に設定する。そして、ステップＳ７０において、目盛り境界速度をオートリタード速度としてＲＡＭ１５に記憶し、図８（ｃ）に示すように、カーソルＣ４を消すとともに、例えば０km/hから目盛り境界速度（例えば、１５km/h）までの目盛り領域Ｃ２１を緑色とし、当該目盛り境界速度から最大値までの目盛り領域Ｃ２２を黄色で表示し、オートリタードモードを制御表示モードとする。
【００４１】
また一方、ステップＳ６６の判別により、再設定スイッチＳＷ３が操作されたと判定された場合には、そのままステップＳ７０に進み、目盛り境界速度をカーソル速度とせず、前回設定されたオートリタード速度（例えば、２０km/h）を再びオートリタード速度としてＲＡＭ１５に記憶し、オートリタードモードを制御表示モードとする。即ち、再設定スイッチＳＷ３が操作された場合には、図８（ｄ）に示すように、カーソルＣ４を消すとともに、例えば０km/hから目盛り境界速度（例えば、２０km/h）までの目盛り領域Ｃ２１を緑色のままに保持し、当該目盛り境界速度から最大値までの目盛り領域Ｃ２２を黄色のままに保持する。
【００４２】
オートリタードモードが制御表示モードとされると、ステップＳ５８の判別結果は偽（Ｎｏ）となり、この場合には、ステップＳ７１において速度メータ２０をオートリタード制御メータ表示とし（目標速度表示手段）、当該ルーチンを終了する。
［オートリタードメータ処理：停車中］
上記ステップＳ５２の判別結果が真（Ｙｅｓ）で、ダンプトラックが停車中と判定された場合には、ステップＳ５５に進む。
【００４３】
オートリタードモードが速度設定モードであって、ダンプトラックが停車中である場合には、指針Ｃ１は動かないため、ステップＳ５５において、図９（ａ）に示すように、目盛り境界速度、即ち前回設定されたオートリタード速度（例えば、１５km/h）をカーソル速度とし、カーソルＣ４を当該目盛り境界速度に合わせるようにして領域Ｃ５に表示する。
【００４４】
そして、ダンプトラックが停車中である場合においても、ステップＳ５６〜ステップＳ５９を経た後、ステップＳ６０において、アップスイッチＳＷ４またはダウンスイッチＳＷ５が操作されたか否かを判別する。判別により、アップスイッチＳＷ４及びダウンスイッチＳＷ５のいずれも操作されていないと判定された場合には、そのままステップＳ６６に進む。
【００４５】
一方、ステップＳ６０の判別により、アップスイッチＳＷ４が操作（ＯＮ）された或いはダウンスイッチＳＷ５が操作（ＯＮ）されたと判定された場合には、ステップＳ６２或いはステップＳ６４に進み、上記同様にカーソル速度を操作毎に所定量だけ加算或いは減算し（例えば、＋１km/hまたは−１km/h）、図９（ｂ）に矢印で示すように、カーソルＣ４の表示位置を移動させる。
【００４６】
そして、ステップＳ６６の判別により、設定スイッチＳＷ２が操作されたと判定された場合には、ステップＳ６８に進み、上記同様に目盛り境界速度をカーソル速度に設定する。さらに、ステップＳ７０において、目盛り境界速度をオートリタード速度としてＲＡＭ１５に記憶し、図９（ｃ）に示すように、カーソルＣ４を消すとともに、例えば０km/hから目盛り境界速度までの目盛り領域Ｃ２１を緑色とし、当該目盛り境界速度から最大値までの目盛り領域Ｃ２２を黄色で表示し、オートリタードモードを制御表示モードとする。
【００４７】
また一方、ステップＳ６６の判別により、再設定スイッチＳＷ３が操作されたと判定された場合には、上記同様にそのままステップＳ７０に進み、前回設定されたオートリタード速度（例えば、１５km/h）を再びオートリタード速度としてＲＡＭ１５に記憶し、オートリタードモードを制御表示モードとする（図示せず）。
以上説明したように、本発明に係るダンプトラックの速度表示装置では、速度メータ２０の領域Ｃ３に現在の走行制御モードを表示するようにしているので、ダンプトラックのオペレータは速度メータ２０を視るだけで現在の走行制御モードが通常走行モード、オートクルーズモード及びオートリタードモードのいずれであるかを容易に確認することができる。
【００４８】
また、オートクルーズモード及びオートリタードモードにおいては、設定されたオートクルーズ速度或いはオートリタード速度（目標速度）を目盛り境界速度とし、当該目盛り境界速度を境に速度メータ２０の目盛り領域Ｃ２を色分け表示するようにしているので、オペレータは速度メータ２０を視るだけでオートクルーズ速度或いはオートリタード速度を極めて容易に確認することができる。
【００４９】
さらに、オートクルーズモードやオートリタードモードが速度設定モードにあるときには、オートクルーズ速度或いはオートリタード速度（目標速度）を速度メータ２０の領域Ｃ５に表示されるカーソルＣ４を移動させて目盛り領域Ｃ２の目盛り境界速度の位置を移動させることで設定するので、ダンプトラックが走行中であっても停車中であっても、オートクルーズ速度やオートリタード速度を目視により確認しながら簡単な操作で容易に設定することができる。
【００５０】
以上で本発明の実施形態の説明を終えるが、実施形態は上記に限られるものではない。
例えば、上記実施形態では、カーソルＣ４を移動させて目盛り領域Ｃ２の目盛り境界速度の位置を移動させることによりオートクルーズ速度やオートリタード速度（目標速度）を設定するようにしたが、カーソルＣ４を用いることなく目盛り領域Ｃ２で直接目盛り境界速度の位置を移動させながらオートクルーズ速度やオートリタード速度を設定するようにしてもよい。この場合、設定中であることを例えば目盛り領域Ｃ２を点滅等させて表示するのがよい。
【００５１】
また、上記実施形態では、オートクルーズ速度或いはオートリタード速度（目標速度）を目盛り境界速度とし、当該目盛り境界速度を境に速度メータ２０の目盛り領域Ｃ２を色分け表示することでオートクルーズ速度やオートリタード速度を視認可能としたが、これに限られるものではなく、速度メータ２０の速度スケール上に走行制御モードに応じてオートクルーズ速度やオートリタード速度を直接表示するようにしてもよい。
【００５２】
また、上記実施形態では、速度メータ２０がカラー液晶ディスプレイ上に画像表示される場合を例に説明したが、これに限られるものではなく、速度メータ２０はＣＲＴ上に表示されるものであってもよいし、従来のアナログ式の速度メータを利用したものであってもよい。
【図面の簡単な説明】
【００５３】
【図１】本発明に係るダンプトラックの速度表示装置を示すブロック図である。
【図２】速度メータの表示内容の一例を示す図である。
【図３】速度メータの速度表示処理ルーチンを示すフローチャートである。
【図４】図３のフローチャートのうちオートクルーズメータ処理のルーチンを示す図である。
【図５】図３のフローチャートのうちオートリタードメータ処理のルーチンを示す図である。
【図６】走行中のオートクルーズメータ処理に伴う速度メータの表示内容を示す図である。
【図７】停車中のオートクルーズメータ処理に伴う速度メータの表示内容を示す図である。
【図８】走行中のオートリタードメータ処理に伴う速度メータの表示内容を示す図である。
【図９】停車中のオートリタードメータ処理に伴う速度メータの表示内容を示す図である。
【符号の説明】
【００５４】
２  車速センサ
３  シフトレバー
１０  電子コントロールユニット（ＥＣＵ）
２０  速度メータ
３０  アクセル
４０  リタードブレーキ
ＳＷ１  モードスイッチ
ＳＷ２  設定スイッチ
ＳＷ３  再設定スイッチ
ＳＷ４  アップスイッチ
ＳＷ５  ダウンスイッチ
Ｃ１  指針
Ｃ２  目盛り領域（目標速度表示手段、発色表示部）
Ｃ３  制御モード表示領域（走行制御モード表示手段）
Ｃ４  カーソル
Ｃ５  カーソル表示領域
【図１】
2006256445.tif 000003
【図２】
2006256445.tif 000004
【図３】
2006256445.tif 000005
【図４】
2006256445.tif 000006
【図５】
2006256445.tif 000007
【図６】
2006256445.tif 000008
【図７】
2006256445.tif 000009
【図８】
2006256445.tif 000010
【図９】
2006256445.tif 000011